(57)【要約】【課題】発光管の被照明領域側の封止部の端面から漏れ出る光を部品点数や組立工数を増加させることなく遮光できる光源装置およびプロジェクターを提供すること。【解決手段】光源装置１０は、管球部２１と管球部２１の両側に照明光軸ＯＣに沿って延設された一対の封止部２２ａ，２２ｂとを有する発光管２０と、管球部２１から射出される光を被照明領域側に反射する反射部３２を有するリフレクター３０と、管球部２１を間に挟んで反射部３２に対向配置された反射部４２と反射部４２から被照明領域側に位置する封止部２２ａに沿って延設された固定部４４とを有する副鏡４０と、封止部２２ａと固定部４４との間に配置され発光管２０と副鏡４０とを固着する接着剤Ｃとを備え、固定部４４は封止部２２ａにおける端部よりも管球部２１から離れた位置まで延設されており、接着剤Ｃは遮光性を有し封止部２２ａの端面２２ｃを被覆していることを特徴とする。【選択図】図２
2011181308.tif 000002
【特許請求の範囲】
【請求項１】
管球部と、前記管球部の両側に照明光軸に沿って延設された一対の封止部と、を有する発光管と、
前記管球部から射出される光を被照明領域側に反射する第１の反射部を有するリフレクターと、
前記管球部を間に挟んで前記第１の反射部に対向配置された第２の反射部と、前記第２の反射部から前記被照明領域側に位置する一方の前記封止部に沿って延設された固定部と、を有する副鏡と、
前記一方の前記封止部と前記固定部との間に配置され、前記発光管と前記副鏡とを固着する接着剤と、を備え、
前記固定部は、前記一方の前記封止部における端部よりも前記管球部から離れた位置まで延設されており、
前記接着剤は、遮光性を有し、前記一方の前記封止部の前記端部の端面を被覆していることを特徴とする光源装置。
【請求項２】
請求項１に記載の光源装置であって、
前記接着剤は、前記一方の前記封止部と前記固定部との間から前記一方の前記封止部の前記端面に亘って連続して配置されていることを特徴とする光源装置。
【請求項３】
請求項１または２に記載の光源装置であって、
前記固定部は、前記一方の前記封止部における前記端部側の外周を覆っていることを特徴とする光源装置。
【請求項４】
請求項１から３のいずれか一項に記載の光源装置であって、
前記第１の反射部は、前記照明光軸と略直交する方向における前記第２の反射部側が削除された形状を有しており、
前記第２の反射部は、前記照明光軸と略直交する方向における前記第１の反射部側が削除された形状を有していることを特徴とする光源装置。
【請求項５】
請求項１から４のいずれか一項に記載の光源装置を備える照明装置と、
前記照明装置からの照明光を画像情報に応じて変調する電気光学変調装置と、
前記電気光学変調装置からの変調光を投写する投写レンズと、
を備えていることを特徴とするプロジェクター。
【発明の詳細な説明】
【技術分野】
【０００１】
本発明は、光源装置およびプロジェクターに関する。
【背景技術】
【０００２】
プロジェクターに用いる光源装置として、管球部と一対の封止部とを有する発光管と、管球部から射出される光を被照明領域側に反射するリフレクターと、リフレクターに対向配置され管球部から射出される光をリフレクター側に反射する副鏡とを備える光源装置が知られている。このような光源装置では、リフレクターの焦点に向かって集束する照明光束が被照明領域側に射出される。
【０００３】
また、リフレクターを照明光軸と略直交する方向における一方側が削除された形状とすることで薄型化を図り、その一方で、発光管を間に挟んでリフレクターとは反対側にリフレクター側が削除された形状を有する副鏡を配置して、発光部から射出される光を照明光束として有効利用し輝度の低下を抑えた光源装置が提案されている（例えば、特許文献１参照）。このような光源装置では、副鏡は、例えば接着剤によって発光管の下方側、すなわちリフレクターとは反対側に固着されている。
【先行技術文献】
【特許文献】
【０００４】
【特許文献１】特開２００７−３３５１９６号公報
【発明の概要】
【発明が解決しようとする課題】
【０００５】
上記のような光源装置では、管球部から射出された光のうちの一部が、被照明領域側の封止部の端面から漏れ出てしまう。リフレクターで反射された光は照明光束として利用されるが、封止部の端面から漏れ出た光は、リフレクターの焦点位置に集束せず様々な方向に向かうため、照明光束として利用できない非利用光である。
【０００６】
このような非利用光が照明光束と一緒にプロジェクターから投写されると、投写された画像において色むらが発生するという課題があった。また、このような非利用光が照射されると、照射された部材の発熱や光学部品の温度上昇が起こり、それらの部材や部品の品質劣化を招くという課題があった。
【０００７】
特許文献１に記載の光源装置では、リフレクターの被照明領域側の開口部に位置する防爆ガラスの下方側に、封止部から漏れ出る光を遮光するための遮蔽体が設けられている。しかしながら、封止部の端面と遮蔽体との間に間隙があるため、この間隙から光が漏れ出てしまうおそれがあるという課題があった。
【０００８】
また、遮蔽体を設けることで部品点数や型の増加、あるいは組立工数の増大を招き、製品コストの上昇につながるという課題があった。さらに、リフレクター側が削除された形状を有する副鏡が発光管の下方側に接着剤によって固着されるため、副鏡が発光管から脱落し易いという課題があった。
【課題を解決するための手段】
【０００９】
本発明は、上述の課題の少なくとも一部を解決するためになされたものであり、以下の形態または適用例として実現することが可能である。
【００１０】
［適用例１］本適用例に係る光源装置は、管球部と、前記管球部の両側に照明光軸に沿って延設された一対の封止部と、を有する発光管と、前記管球部から射出される光を被照明領域側に反射する第１の反射部を有するリフレクターと、前記管球部を間に挟んで前記第１の反射部に対向配置された第２の反射部と、前記第２の反射部から前記被照明領域側に位置する一方の前記封止部に沿って延設された固定部と、を有する副鏡と、前記一方の前記封止部と前記固定部との間に配置され、前記発光管と前記副鏡とを固着する接着剤と、を備え、前記固定部は、前記一方の前記封止部における端部よりも前記管球部から離れた位置まで延設されており、前記接着剤は、遮光性を有し、前記一方の前記封止部の前記端部の端面を被覆していることを特徴とする。
【００１１】
この構成によれば、管球部の両側に延設された一対の封止部のうち被照明領域側に位置する封止部の端面が、遮光性を有する接着剤により被覆されている。このため、管球部から射出された光のうち、この封止部の端面から被照明領域側に向かう光が接着剤により遮光される。これにより、照明光束として利用できない非利用光の被照明領域側への照射が抑えられる。また、発光管と副鏡とを固着する接着剤が遮光部材を兼ねるので、遮光部材を別途必要とする構成に比べて部品点数や型の増加、あるいは組立工数の増大が避けられる。
【００１２】
さらに、この構成によれば、副鏡の固定部が被照明領域側に位置する封止部における端部よりも管球部から離れた位置まで延設されている。このため、封止部と固定部との間に接着剤を配置する領域を広くできるので、発光管と副鏡との固着強度を高めることができる。また、封止部の端面を被覆する接着剤が固定部のうち封止部よりも被照明領域側に延びた部分で支持されるので、封止部の端面からの接着剤の脱落を抑えることができる。
【００１３】
［適用例２］上記適用例に係る光源装置であって、前記接着剤は、前記一方の前記封止部と前記固定部との間から前記一方の前記封止部の前記端面に亘って連続して配置されていることが好ましい。
【００１４】
この構成によれば、封止部の端面を被覆する接着剤が発光管と副鏡とを固着する接着剤と一体に配置されるので、封止部の端面からの接着剤の脱落や剥離を抑えることができる。
【００１５】
［適用例３］上記適用例に係る光源装置であって、前記固定部は、前記一方の前記封止部における前記端部側の外周を覆っていることが好ましい。
【００１６】
この構成によれば、発光管と副鏡とを固着する接着剤を封止部の外周を覆う固定部と封止部との間のより広い領域に配置できるので、発光管と副鏡との固着力をさらに高めることができる。また、封止部の端面を被覆する接着剤の周囲が、固定部のうち封止部よりも被照明領域側に延びた部分で囲まれるので、接着剤の厚さがより均一になるとともに接着剤の脱落や剥離がより抑えられる。これにより、封止部の端面から被照明領域側に向かう光をより一層確実に遮光することができる。
【００１７】
［適用例４］上記適用例に係る光源装置であって、前記第１の反射部は、前記照明光軸と略直交する方向における前記第２の反射部側が削除された形状を有しており、前記第２の反射部は、前記照明光軸と略直交する方向における前記第１の反射部側が削除された形状を有していることが好ましい。
【００１８】
この構成によれば、リフレクターは、第１の反射部の照明光軸と略直交する方向における第２の反射部側が削除されて、薄型化されている。その一方で、発光管の発光部から第１の反射部の削除された側に射出される光は、副鏡の第２の反射部により反射され照明光束として有効利用される。したがって、光源装置における輝度の低下を抑えて薄型化を図ることが可能となる。
【００１９】
［適用例５］本適用例に係るプロジェクターは、上記に記載の光源装置を備える照明装置と、前記照明装置からの照明光を画像情報に応じて変調する電気光学変調装置と、前記電気光学変調装置からの変調光を投写する投写レンズと、を備えていることを特徴とする。
【００２０】
この構成によれば、プロジェクターは、非利用光の被照明領域側への照射が抑えられた光源装置を備えている。これにより、投写された画像における色むらの発生が少なく部品の品質劣化が抑えられた信頼性の高いプロジェクターを提供できる。
【図面の簡単な説明】
【００２１】
【図１】第１の実施形態に係るプロジェクターの概略構成を示す図。
【図２】第１の実施形態に係る光源装置の概略構成を示す図。
【図３】第１の実施形態に係る光源装置における副鏡の製造方法を説明する図。
【図４】第２の実施形態に係る光源装置の概略構成を示す図。
【図５】第２の実施形態に係る光源装置における副鏡の製造方法を説明する図。
【図６】第３の実施形態に係る光源装置の概略構成を示す図。
【発明を実施するための形態】
【００２２】
以下に、本実施の形態について図面を参照して説明する。なお、参照する各図面において、構成をわかりやすく示すため、各構成要素の寸法の比率、角度等は適宜異ならせてある。
【００２３】
（第１の実施形態）
＜プロジェクター＞
まず、第１の実施形態に係るプロジェクターについて、図１を参照して説明する。図１は、第１の実施形態に係るプロジェクターの概略構成を示す図である。
【００２４】
第１の実施形態に係るプロジェクター１０００は、図１に示すように、照明装置１００と、色分離導光光学系２００と、３つの集光レンズ３００Ｒ，３００Ｇ，３００Ｂと、電気光学変調装置としての３つの液晶装置４００Ｒ，４００Ｇ，４００Ｂと、クロスダイクロイックプリズム５００と、投写レンズ６００と、冷却機構（図示省略）とを備えたプロジェクターである。
【００２５】
照明装置１００は、光源装置１０と、凹レンズ９０と、複数の第１小レンズ１２２を有する第１レンズアレイ１２０と、複数の第２小レンズ１３２を有する第２レンズアレイ１３０と、偏光変換素子１４０と、重畳レンズ１５０とを備えている。
【００２６】
光源装置１０は、発光管２０と、リフレクター３０と、副鏡４０とを備えている。リフレクター３０は、照明光軸ＯＣ上に第１焦点と第２焦点とを有する回転楕円面の一部である反射面３１（図２参照）を有する。また、リフレクター３０の第１焦点は、発光管２０の管球部２１（図２参照）内に位置する。光源装置１０は、リフレクター３０の第２焦点に向かって集束する照明光束を射出する。
【００２７】
光源装置１０は、発光管２０が寿命となった場合等に、ユーザーが取り替え可能なように構成されている。光源装置１０において、光束が射出される側、すなわちリフレクター３０の開口側を被照明領域側とも呼ぶ。また、光源装置１０において、被照明領域側（開口側）とは反対側を背面側とも呼ぶ。光源装置１０の詳細構成については後述する。
【００２８】
凹レンズ９０は、光源装置１０の被照明領域側に配置されている。凹レンズ９０は、光源装置１０からの集束光を略平行光として、第１レンズアレイ１２０に向けて射出する。第１レンズアレイ１２０は、凹レンズ９０から射出される照明光束を複数の部分光束に分割する光束分割光学素子としての機能を有する。第１レンズアレイ１２０は、照明光軸ＯＣと略直交する面内にマトリクス状に配列される複数の第１小レンズ１２２を備えている。図示による説明は省略するが、第１小レンズ１２２の外形形状は、液晶装置４００Ｒ，４００Ｇ，４００Ｂの画像形成領域の外形形状に関して相似形である。
【００２９】
第２レンズアレイ１３０は、上述した第１レンズアレイ１２０により分割された複数の部分光束を集光するための光学素子である。第２レンズアレイ１３０は、第１レンズアレイ１２０の複数の第１小レンズ１２２に対応して、照明光軸ＯＣに略直交する面内にマトリクス状に配列される複数の第２小レンズ１３２を備えている。
【００３０】
偏光変換素子１４０は、第２レンズアレイ１３０からの各部分光束を、偏光方向の揃った略１種類の直線偏光に変換して射出する偏光変換素子である。偏光変換素子１４０は、光源装置１０からの照明光束に含まれる偏光成分のうち一方の直線偏光成分をそのまま透過し、他方の直線偏光成分を照明光軸ＯＣに垂直な方向に反射する偏光分離層と、偏光分離層で反射された他方の直線偏光成分を照明光軸ＯＣに平行な方向に反射する反射層と、反射層で反射された他方の直線偏光成分を一方の直線偏光成分に変換する位相差板とを有している。
【００３１】
重畳レンズ１５０は、第１レンズアレイ１２０、第２レンズアレイ１３０、および偏光変換素子１４０を経て射出される複数の部分光束を集光して液晶装置４００Ｒ，４００Ｇ，４００Ｂの画像形成領域近傍に重畳させるための光学素子である。なお、重畳レンズ１５０は、図１では１枚のレンズとして図示されているが、複数のレンズを組み合わせた複合レンズで構成されていてもよい。
【００３２】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、照明装置１００から射出される照明光束を赤色光、緑色光、および青色光の３つの色光に分離して、それぞれの色光を照明対象となる液晶装置４００Ｒ，４００Ｇ，４００Ｂに導く機能を有している。
【００３３】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過するミラーである。光路後段に配置されるダイクロイックミラー２２０は、緑色光成分を反射し、青色光成分を透過するミラーである。
【００３４】
ダイクロイックミラー２１０で反射された赤色光成分は、反射ミラー２３０により曲折され、集光レンズ３００Ｒを介して赤色光用の液晶装置４００Ｒの画像形成領域に入射する。集光レンズ３００Ｒは、重畳レンズ１５０からの各部分光束を各主光線に対して略平行な光束に変換するために設けられている。他の液晶装置４００Ｇ，４００Ｂの光路前段に配設される集光レンズ３００Ｇ，３００Ｂも、集光レンズ３００Ｒと同様に構成されている。
【００３５】
ダイクロイックミラー２１０を通過した緑色光成分および青色光成分のうち緑色光成分は、ダイクロイックミラー２２０によって反射され、集光レンズ３００Ｇを通過して緑色光用の液晶装置４００Ｇの画像形成領域に入射する。一方、青色光成分は、ダイクロイックミラー２２０を透過し、入射側レンズ２６０、入射側の反射ミラー２４０、リレーレンズ２７０、射出側の反射ミラー２５０、および集光レンズ３００Ｂを通過して青色光用の液晶装置４００Ｂの画像形成領域に入射する。入射側レンズ２６０、リレーレンズ２７０、および反射ミラー２４０，２５０は、ダイクロイックミラー２２０を透過した青色光成分を液晶装置４００Ｂまで導く機能を有している。
【００３６】
なお、青色光の光路にこのような入射側レンズ２６０、リレーレンズ２７０、および反射ミラー２４０，２５０が設けられているのは、青色光の光路の長さが他の色光の光路の長さよりも長いため、光の発散等による光の利用効率の低下を防止するためである。第１の実施形態に係るプロジェクター１０００においては、青色光の光路の長さが長いのでこのような構成とされているが、赤色光の光路の長さを長くして、入射側レンズ２６０、リレーレンズ２７０、および反射ミラー２４０，２５０を赤色光の光路に用いる構成としてもよい。
【００３７】
液晶装置４００Ｒ，４００Ｇ，４００Ｂは、色分離導光光学系２００で分離された３つの色光のそれぞれを画像情報に応じて変調するものであり、照明装置１００の照明対象となっている。図示を省略するが、各集光レンズ３００Ｒ，３００Ｇ，３００Ｂと各液晶装置４００Ｒ，４００Ｇ，４００Ｂとの間には、それぞれ入射側偏光板が配置され、各液晶装置４００Ｒ，４００Ｇ，４００Ｂとクロスダイクロイックプリズム５００との間には、それぞれ射出側偏光板が配置されている。
【００３８】
これら入射側偏光板、液晶装置４００Ｒ，４００Ｇ，４００Ｂ、および射出側偏光板によって、入射する各色光の光変調が行われる。液晶装置４００Ｒ，４００Ｇ，４００Ｂは、一対の透明なガラス基板に電気光学物質である液晶を密閉封入したものである。液晶装置４００Ｒ，４００Ｇ，４００Ｂは、例えば、ポリシリコンＴＦＴをスイッチング素子として、与えられた画像信号に応じて、入射側偏光板から射出された１種類の直線偏光の偏光方向を変調する。
【００３９】
クロスダイクロイックプリズム５００は、３つの液晶装置４００Ｒ，４００Ｇ，４００Ｂによって変調され、射出側偏光板から射出された色光毎に変調された光学像を合成してカラー画像を形成する光学素子である。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光および青色光は曲折され、緑色光の進行方向と揃えられることにより、３つの色光が合成される。
【００４０】
投写レンズ６００は、クロスダイクロイックプリズム５００によって合成されたカラー画像をスクリーンＳＣＲ等の投写面に拡大投写する。これにより、スクリーンＳＣＲ等の投写面上に画像が形成される。
【００４１】
＜光源装置＞
次に、第１の実施形態に係る光源装置について、図２を参照して説明する。図２は、第１の実施形態に係る光源装置の概略構成を示す図である。詳しくは、図２（ａ）は光源装置１０の要部の構成を示す斜視図であり、図２（ｂ）は図２（ａ）中のＡ−Ａ’線に沿った断面図である。なお、図２（ａ）ではリード線２８ａ，２８ｂの図示を省略している。
【００４２】
以下では、プロジェクター１０００をいわゆる据え置き状態に配置する場合を例にとり説明する。図２（ａ）および（ｂ）における光源装置１０の各構成要素の配置は、プロジェクター１０００の据え置き状態に対応している。なお、プロジェクター１０００の据え置き状態において、重力方向はリフレクター３０側から副鏡４０側に向かう方向となる。
【００４３】
第１の実施形態に係る光源装置１０は、図２（ａ）および（ｂ）に示すように、発光管２０と、リフレクター３０と、副鏡４０と、接着剤Ｃとを備えている。
【００４４】
発光管２０は、管球部２１と、一対の封止部２２ａ，２２ｂと、一対の電極２４ａ，２４ｂと、一対の金属箔２６ａ，２６ｂと、一対のリード線２８ａ，２８ｂとを有している。発光管２０としては、高輝度発光する種々の発光管を採用でき、例えば、高圧水銀ランプ、超高圧水銀ランプ、メタルハライドランプ等を採用できる。
【００４５】
封止部２２ａ，２２ｂは、管球部２１から両側に照明光軸ＯＣに沿って延設されている。封止部２２ａは管球部２１の被照明領域側に配置されており、封止部２２ｂは管球部２１の被照明領域側とは反対側、すなわち背面側に配置されている。管球部２１および封止部２２ａ，２２ｂは、例えば石英ガラスからなり、一体に形成されている。管球部２１内には、例えば、水銀、希ガスおよび少量のハロゲンが封入されている。
【００４６】
図２（ｂ）に示すように、電極２４ａ，２４ｂは、管球部２１内に封入された一端部同士が互いに対向するように配置されている。電極２４ａ，２４ｂの互いに対向する一端部には、放電部が形成されている。電極２４ａは照明光軸ＯＣに沿って封止部２２ａ側に延在しており、その端部は金属箔２６ａに電気的に接続されている。電極２４ｂは照明光軸ＯＣに沿って封止部２２ｂ側に延在しており、その端部は金属箔２６ｂに電気的に接続されている。電極２４ａ，２４ｂは、例えば、タングステン等の金属からなる。
【００４７】
金属箔２６ａ，２６ｂは、照明光軸ＯＣに沿って延在している。金属箔２６ａは封止部２２ａ内に封止されており、金属箔２６ｂは封止部２２ｂ内に封止されている。金属箔２６ａ，２６ｂは、例えば、モリブデン等の金属からなる。
【００４８】
リード線２８ａ，２８ｂは、照明光軸ＯＣに沿って延在している。リード線２８ａの一端部側は、封止部２２ａ内に封止され、金属箔２６ａに電気的に接続されている。リード線２８ａの他端部は、封止部２２ａの端面２２ｃから延出している。リード線２８ｂの一端部側は、封止部２２ｂ内に封止され、金属箔２６ｂに電気的に接続されている。リード線２８ｂの他端部は、封止部２２ｂから延出している。リード線２８ａ，２８ｂは、例えば、モリブデン、タングステン等の金属からなる。リード線２８ａ，２８ｂに電圧が印加されると、電極２４ａ，２４ｂ間に電位差が発生し、管球部２１内で放電が生じてアーク像が生成される。
【００４９】
リフレクター３０は、図２（ａ）および（ｂ）に示すように、第１の反射部としての反射部３２と、基部３４とを有している。反射部３２と基部３４とは、一体に形成されている。リフレクター３０の基材の材料としては、例えば、結晶化ガラスやアルミナ（Ａｌ2Ｏ3）等を好適に用いることができる。
【００５０】
反射部３２は、楕円面を照明光軸ＯＣを回転中心軸として回転させた楕円球の略１／４の形状を有している。より具体的には、反射部３２は、楕円球のうち照明光軸ＯＣに沿った方向における略１／２が削除されるとともに、照明光軸ＯＣを含む所定の平面Ｓで切断したとき、照明光軸ＯＣと略直交する方向における副鏡４０（反射部４２）側の端部３０ｚが削除された形状を有している（図２（ａ）参照）。したがって、反射部３２の開口側（被照明領域側）の端部は、略半円形状である。リフレクター３０の反射部３２をこのような形状とすることにより、光源装置１０を薄型化することができる。
【００５１】
反射部３２は、発光管２０に対向する内面側に反射面３１を有している。反射面３１は、照明光軸ＯＣ上に第１焦点と第２焦点とを有する回転楕円面の一部である。反射部３２は、発光管２０に対して、第１焦点近傍に管球部２１が位置するように配置されている。反射部３２は、反射面３１において、管球部２１から射出された光を被照明領域側の第２焦点位置に向けて反射する。反射面３１には、例えば、酸化チタン（ＴｉＯ2）と酸化シリコン（ＳｉＯ2）との誘電体多層膜からなる可視光反射層が形成されている。
【００５２】
基部３４は、反射部３２から背面側に封止部２２ｂに沿って延設されている。基部３４は、例えば、照明光軸ＯＣに沿って延在する略円筒形のうち副鏡４０の側の略１／２が削除された形状を有している。基部３４と封止部２２ｂとの間には接着剤Ｃが充填されており、接着剤Ｃによってリフレクター３０と発光管２０とが互いに固着されている。
【００５３】
接着剤Ｃは、遮光性を有する接着剤であり、例えば、シリカ系やアルミナ系の無機接着剤である。このような無機接着剤として、例えば、住友化学工業（株）の「スミセラム（登録商標）」を用いることができる。
【００５４】
副鏡４０は、発光管２０を間に挟んでリフレクター３０とは反対側、すなわちリフレクター３０の端部３０ｚが削除された側に配置されている。つまり、副鏡４０は、発光管２０の重力方向における下方側に位置している。副鏡４０は、第２の反射部としての反射部４２と、固定部４４とを有している。反射部４２と固定部４４とは、一体に形成されている。副鏡４０は、例えば、硬質ガラスや石英ガラス等からなる。副鏡４０の材料は、金属であってもよい。
【００５５】
反射部４２は、球体のうち照明光軸ＯＣと略直交する方向におけるリフレクター３０側の略１／２が削除された略半球形状を有している。反射部４２は、管球部２１のリフレクター３０とは反対側を覆うように配置されている。反射部４２は、管球部２１に対向する内面側に反射面４１を有している。
【００５６】
反射部４２は、反射面４１において、管球部２１から副鏡４０側に射出される光を管球部２１（反射面３１）へ向けて反射する。これにより、管球部２１から副鏡４０側に射出される光をリフレクター３０側へ戻して、照明光束として有効利用することができる。反射面４１には、例えば、酸化タンタル（Ｔａ2Ｏ5）と酸化シリコン（ＳｉＯ2）との誘電体多層膜からなる反射層が形成されている。
【００５７】
固定部４４は、反射部４２から被照明領域側に封止部２２ａに沿って延設されており、封止部２２ａにおける被照明領域側の端部よりも管球部２１から離れた位置まで延在している。固定部４４は、照明光軸ＯＣに沿って延在する略円筒形のうちリフレクター３０側の略１／２が削除された形状を有している。したがって、固定部４４が封止部２２ａの端部よりも被照明領域側の位置まで延在していても、リフレクター３０で反射され第２焦点位置に向かう光が固定部４４で遮られることはない。
【００５８】
固定部４４と封止部２２ａとの間には接着剤Ｃが充填されており、接着剤Ｃによって発光管２０と副鏡４０とが互いに固着されている。接着剤Ｃは、固定部４４の被照明領域側の端部まで配置されているとともに、封止部２２ａにおける被照明領域側の端面２２ｃを被覆している。つまり、接着剤Ｃは、固定部４４と封止部２２ａとの間から封止部２２ａの端面２２ｃに亘って連続して配置されている。接着剤Ｃは、さらに封止部２２ａの上方（リフレクター３０側）を覆うように配置されていてもよい。
【００５９】
第１の実施形態に係る光源装置１０の構成によれば、リフレクター３０は、副鏡４０側の端部３０ｚが削除されて、薄型化されている。また、その一方で、発光管２０から副鏡４０側に射出される光を反射部４２で反射して照明光束として有効利用できるので、リフレクター３０の端部３０ｚが削除されたことによる輝度の低下が抑えられる。したがって、輝度の低下を抑えて光源装置１０を薄型化することができる。
【００６０】
ところで、管球部２１から射出された光のうちの一部は、封止部２２ａ内を被照明領域側に向かって伝播する。このように封止部２２ａ内を伝播する光は、リフレクター３０の第２焦点に向かって集束せず様々な方向に向かうため、照明光束として利用できない非利用光である。このような非利用光が封止部２２ａの端面２２ｃから漏れ出て照明光束と一緒にプロジェクター１０００から投写されると、投写された画像において色むらを発生させてしまう。また、このような非利用光が封止部２２ａの端面２２ｃから漏れ出て照射されると、プロジェクター１０００内の周辺の部材の発熱や光学部品の温度上昇が起こり、それらの部材や部品の品質劣化を招いてしまう。
【００６１】
第１の実施形態に係る光源装置１０の構成によれば、被照明領域側に位置する封止部２２ａの端面２２ｃが遮光性を有する接着剤Ｃにより被覆されているので、封止部２２ａの端面２２ｃから被照明領域側に向かう非利用光が接着剤Ｃにより遮光される。これにより非利用光の被照明領域側への照射が抑えられるので、光源装置１０を備えたプロジェクター１０００から投写される画像における色むらが抑えられ、光源装置１０周辺の部材の光による品質劣化が抑えられる。
【００６２】
さらに、発光管２０とリフレクター３０とを固着する接着剤Ｃを遮光部材として用いるので、特許文献１に記載の光源装置のように遮光部材を別途必要とする構成に比べて、部品点数や型の増加、あるいは組立工数の増大が避けられる。そして、封止部２２ａの端面２２ｃをほぼ間隙がない状態で被覆できるので、特許文献１に記載の光源装置に比べて、封止部２２ａの端面２２ｃから被照明領域側に向かう非利用光をより確実に遮光できる。
【００６３】
また、第１の実施形態に係る光源装置１０では、固定部４４が封止部２２ａの端部よりも管球部２１から離れた位置まで延設されている。このため、封止部２２ａと固定部４４との間に接着剤Ｃを配置する領域を広くできるので、発光管２０と副鏡４０との固着強度を高めることができる。これにより、副鏡４０の脱落を抑えることができる。
【００６４】
封止部２２ａの端面２２ｃは重力方向に略平行であるため、封止部２２ａの端面２２ｃを被覆する接着剤Ｃを脱落させる方向に重力が働く。しかしながら、光源装置１０では、固定部４４のうち封止部２２ａよりも被照明領域側に延びた部分で、封止部２２ａの端面２２ｃを被覆する接着剤Ｃを重力方向の下方側から支持することができる。そして、接着剤Ｃが固定部４４と封止部２２ａとの間から封止部２２ａの端面２２ｃに亘って一体に配置されているので、接着剤Ｃの封止部２２ａの端面２２ｃからの脱落や剥離が抑えられる。
【００６５】
＜光源装置の製造方法＞
次に、光源装置の製造方法について説明する。第１の実施形態に係る光源装置の製造方法は、発光管２０、リフレクター３０、および副鏡４０をあらかじめ準備しておき、副鏡４０を発光管２０に固着し、発光管２０をリフレクター３０に固着する。ここでは、副鏡４０の製造方法を、図３を参照して説明する。なお、発光管２０およびリフレクター３０は、公知の製造方法を用いて製造することができる。
【００６６】
図３は、第１の実施形態に係る副鏡の製造方法を説明する図である。詳しくは、図３（ａ）〜図３（ｆ）は、副鏡の製造工程における各工程を示す図であり、図２（ａ）中のＡ−Ａ’線に沿った断面に対応する断面図である。なお、実際の工程では切断するときに切りしろが発生するが、図３においては図示を省略している。
【００６７】
（１．管状部材準備工程）
まず、図３（ａ）に示すように、管状部材５０を準備する。管状部材５０の内径寸法は、発光管２０の封止部２２ａの外径寸法、および封止部２２ａと固定部４４との間隙等に応じて適宜設定される。管状部材５０の材料としては、硬質ガラスや石英ガラスを用いることができる。石英ガラスは、熱膨張率が低く内部歪が残らないためアニール処理をする必要がないので、管状部材５０の材料として好適である。
【００６８】
なお、軸５０ａｘは、管状部材５０の断面の中心を通り、管状部材５０の延在方向に沿った軸である。また、この段階では見た目上の差異はないものの、便宜上、管状部材５０を軸５０ａｘを含む平面に沿って２分割した場合の一方の部材を５０ａとし、他方の部材を５０ｂとする。ここでは、部材５０ａから副鏡４０を製造する場合を例にとり説明するが、部材５０ｂから同様にして副鏡４０を製造してもよい。
【００６９】
（２．膨張部形成工程）
次に、図３（ｂ）に示すように、管状部材５０を加熱して成形型（図示しない）に入れた後、不活性ガスにより内圧をかける。そして、管状部材５０における一部の内面形状が反射部４２に対応した所定の形状となるように膨張させて、膨張部５２を形成する。不活性ガスとしては、例えば、アルゴンガスや窒素ガスを好適に用いることができる。これにより、管状部材５０は、部材５０ａ側および部材５０ｂ側のそれぞれの側に、膨張部５２と、膨張部５２の両側に接続された一対の管状部５１ａ，５１ｂとを有する構成となる。
【００７０】
（３．切断工程）
（３−１．第１切断工程）
次に、図３（ｃ）に示すように、例えばスライサーを用いて、管状部材５０の軸５０ａｘを含む平面に沿って切り込みＸ１を入れる。そして、管状部材５０を、部材５０ａと部材５０ｂとに分断する。これにより、膨張部５２と一対の管状部５１ａ，５１ｂとを有する部材５０ａ，５０ｂが得られる。次の工程からは、部材５０ａに対して加工を行うこととする。
【００７１】
（３−２．第２切断工程）
次に、図３（ｄ）に示すように、部材５０ａにおける膨張部５２と管状部５１ｂとの接続部に、第１切断工程で切り込みＸ１が入れられた側あるいはその反対側から、軸５０ａｘと略直交する方向に切り込みＸ２を入れる。そして、部材５０ａを切り込みＸ２の位置で切断し管状部５１ｂを分離する。また、同様に、部材５０ａにおける管状部５１ａの所定の位置に切り込みＸ３を入れて切断し、管状部５１ａの切り込みＸ３の位置よりも外側（膨張部５２から離れた側）の部分を分離する。
【００７２】
これにより、図３（ｅ）に示すように、膨張部５２と管状部５４とで構成される基材５０ｃが得られる。基材５０ｃは、副鏡４０の基材となる。膨張部５２は副鏡４０の反射部４２となり、管状部５４は副鏡４０の固定部４４となる。
【００７３】
ここで、管状部５１ａに切り込みＸ３を入れる位置は、固定部４４（管状部５４）が発光管２０の封止部２２ａの端部よりも管球部２１から離れた位置まで延在するように（図２（ｂ）参照）、封止部２２ａの長さに応じて適宜調整する。このように、管状部５１ａに切り込みＸ３を入れる位置を調整することで、固定部４４の延在方向における長さを所望の長さに設定することができる。
【００７４】
（４．反射層形成工程）
次に、図３（ｆ）に示すように、基材５０ｃの膨張部５２（反射部４２）の内面である反射面４１に反射層を形成する。反射層としては、例えば、酸化タンタル（Ｔａ2Ｏ5）と酸化シリコン（ＳｉＯ2）との誘電体多層膜からなる反射層を好適に用いることができる。反射層形成工程が終了すると、膨張部５２に対応する反射部４２と、管状部５４に対応する固定部４４とで構成される副鏡４０が完成する。
【００７５】
第１の実施形態に係る副鏡の製造方法によれば、第１切断工程における切り込みＸ１、および第２切断工程における切り込みＸ２，Ｘ３を入れる位置や角度等を適宜設定することにより、管状部材５０から所望の形状および寸法の副鏡４０を容易に得ることができる。
【００７６】
なお、上述の切断工程において、第１切断工程の前に第２切断工程を行うようにしてもよい。すなわち、図３（ｂ）に示す膨張部形成工程の後、管状部材５０に図３（ｄ）に示す切り込みＸ２，Ｘ３を入れて管状部５１ｂおよび管状部５１ａを切断し、その後で図３（ｃ）に示す切り込みＸ１を入れて部材５０ａと部材５０ｂとに分断するようにしてもよい。
【００７７】
副鏡４０が完成した後、図２（ｂ）に示すように、副鏡４０の固定部４４と封止部２２ａとの間に接着剤Ｃを配置することにより、副鏡４０を発光管２０に固着する。このとき、接着剤Ｃを、固定部４４と封止部２２ａとの間から封止部２２ａの端面２２ｃに亘って連続して配置して、端面２２ｃを接着剤Ｃで被覆する。
【００７８】
また、リフレクター３０の基部３４と封止部２２ｂとの間に接着剤Ｃを配置することにより、発光管２０をリフレクター３０に固着する。なお、副鏡４０と発光管２０との固着、および発光管２０とリフレクター３０との固着は、どちらを先に行ってもよい。以上により、光源装置１０が完成する。
【００７９】
第１の実施形態に係る光源装置１０の構成によれば、以下のような効果が得られる。
【００８０】
（１）副鏡４０側の略１／２が削除された形状を有するリフレクター３０に対して、発光管２０を間に挟んで反対側に、リフレクター３０側の略１／２が削除された形状を有する副鏡４０が配置されているので、光源装置１０の輝度の低下を抑えつつ薄型化を図ることができる。
【００８１】
（２）発光管２０と副鏡４０とを固着する接着剤Ｃにより封止部２２ａの端面２２ｃから被照明領域側に向かう光が遮光されるので、部品点数や型の増加、あるいは組立工数の増大を避けつつ、プロジェクター１０００から投写される画像における色むらや周辺の部材の品質劣化を抑えることができる。
【００８２】
（３）固定部４４が封止部２２ａの端部よりも被照明領域側の位置まで延設されているので、接着剤Ｃを配置する領域を広くして発光管２０と副鏡４０との固着強度を高めることができる。また、接着剤Ｃは、固定部４４と封止部２２ａとの間から封止部２２ａの端面２２ｃに亘って一体に配置されるとともに、固定部４４のうち封止部２２ａよりも被照明領域側に延びた部分で下方側から支持されるので、封止部２２ａの端面２２ｃからの接着剤Ｃの脱落や剥離が抑えられる。
【００８３】
これらにより、薄型で投写される画像の色むらや周辺の部材の品質劣化が抑えられた信頼性の高い光源装置１０、および光源装置１０を備えた信頼性の高いプロジェクター１０００を提供できる。なお、プロジェクター１０００をいわゆる天吊り状態に配置する場合においては、各構成要素の重力方向における位置関係が反転するが、据え置き状態の場合とほぼ同様の効果が得られる。
【００８４】
（第２の実施形態）
＜光源装置＞
次に、第２の実施形態に係る光源装置について、図４を参照して説明する。第２の実施形態に係る光源装置は、第１の実施形態に係る光源装置に対して、副鏡の固定部の形状が異なっているが、その他の構成はほぼ同じである。
【００８５】
図４は、第２の実施形態に係る光源装置の概略構成を示す図である。詳しくは、図４は図２（ａ）中のＡ−Ａ’線に沿った断面に対応する断面図である。なお、第１の実施形態と共通する構成要素については、同一の符号を付しその説明を省略する。
【００８６】
第２の実施形態に係る光源装置１２は、発光管２０と、リフレクター３０と、副鏡４０Ａと、接着剤Ｃとを備えている。
【００８７】
副鏡４０Ａは、反射部４２と接続部４３と固定部４５とを有している。接続部４３は、反射部４２の被照明領域側に設けられており、照明光軸ＯＣに沿って延在する略円筒形のうちリフレクター３０側の略１／２が削除された形状を有している。固定部４５は、接続部４３から被照明領域側に封止部２２ａに沿って、封止部２２ａの端部よりも管球部２１から離れた位置まで延設されている。固定部４５は、照明光軸ＯＣに沿って延在する略円筒形状を有しており、封止部２２ａの外周の全周を覆っている。
【００８８】
発光管２０と副鏡４０Ａとを固着する接着剤Ｃは、封止部２２ａの外周を覆う固定部４５と封止部２２ａとの間に充填されている。また、封止部２２ａの端面２２ｃを被覆する接着剤Ｃは、固定部４５のうち封止部２２ａよりも被照明領域側に延びた部分で周囲を囲まれた内側の領域に充填されている。つまり、接着剤Ｃは、封止部２２ａにおける固定部４５に重なる部分の外周と端面２２ｃとを覆うように一体に配置されている。
【００８９】
第２の実施形態に係る光源装置１２の構成によれば、封止部２２ａの端面２２ｃを被覆する接着剤Ｃが、固定部４５のうち封止部２２ａよりも被照明領域側に位置する部分で周囲を囲まれるとともに、封止部２２ａの外周を覆う接着剤Ｃと一体に配置されている。このため、第１の実施形態に比べて、封止部２２ａの端面２２ｃを被覆する接着剤Ｃを重力方向における上方側と下方側とでより均一な厚さで配置することができ、接着剤Ｃの封止部２２ａの端面２２ｃからの剥離がより抑えられる。これにより、封止部２２ａの端面２２ｃから被照明領域側に向かう非利用光をより一層確実に遮光することができる。
【００９０】
また、第１の実施形態に比べて、接着剤Ｃが封止部２２ａの外周の全周を覆うとともにより広い領域に配置されるので、封止部２２ａと固定部４５との固着強度をより高めることができ、振動や衝撃に対する耐性を向上させることができる。
【００９１】
なお、固定部４５には、リフレクター３０側における被照明領域側のコーナー部５５ｃ（図５（ｄ）参照）が削除されて形成された斜面４５ａが設けられていることが好ましい。固定部４５に斜面４５ａを設けることで、リフレクター３０で反射され第２焦点位置に向かう光が固定部４５で遮られないようにすることができる。斜面４５ａの照明光軸ＯＣに対する角度や長さは、リフレクター３０の第２焦点位置や封止部２２ａの長さ等に応じて適宜設定される。
【００９２】
＜光源装置の製造方法＞
次に、第２の実施形態に係る光源装置の製造方法について説明する。第２の実施形態に係る光源装置の製造方法は、副鏡の製造方法における切断工程が第１の実施形態に係る製造方法と異なっているが、その他の製造方法はほぼ同じである。図５は、第２の実施形態に係る光源装置における副鏡の製造方法を説明する図である。詳しくは、図５（ａ）〜図５（ｅ）は、副鏡の製造工程における各工程を示す図であり、図２（ａ）中のＡ−Ａ’線に沿った断面に対応する断面図である。
【００９３】
（１．管状部材準備工程、および、２．膨張部形成工程）
管状部材準備工程（図３（ａ）参照）および膨張部形成工程（図３（ｂ）参照）は、第１の実施形態に係る副鏡の製造方法と同様であるので説明を省略する。なお、第２の実施形態に係る副鏡の製造方法では管状部材５０を軸５０ａｘを含む平面に沿って２分割しないが、便宜上、２分割した場合の一方の部材側を５０ａと表示し他方の部材側を５０ｂと表示している。管状部材５０において、部材５０ｂの側がリフレクター３０側となる。
【００９４】
（３．切断工程）
（３−１．第１切断工程）
膨張部形成工程の後に、図５（ａ）に示すように、管状部材５０における膨張部５２と管状部５１ｂとの接続部に、軸５０ａｘと略直交する方向に切り込みＸ２を入れ、切り込みＸ２の位置で切断する。これにより、管状部５１ｂが分離され、図５（ｂ）に示す管状部材５０ｄが得られる。
【００９５】
（３−２．第２切断工程）
次に、図５（ｂ）に示すように、管状部材５０ｄの管状部５１ａの延在方向における所定の位置に、軸５０ａｘと略直交する方向に、部材５０ｂ側から軸５０ａｘに到達するまで切り込みＸ４を入れる。切り込みＸ４を入れる位置は、封止部２２ａに対する固定部４５の位置関係（図４参照）等に応じて適宜設定される。続いて、管状部５１ｂが分離された側から軸５０ａｘを含む平面に沿って、切り込みＸ４に到達するまで切り込みＸ５を入れる。そして、管状部材５０ｄから切り込みＸ４，Ｘ５が入れられた部材５０ｂ側の部分５６を分離する。これにより、図５（ｃ）に示すように、膨張部５２と管状部５３と筒状部５７とを有する管状部材５０ｅが得られる。
【００９６】
（３−３．第３切断工程）
次に、図５（ｃ）に示すように、管状部材５０ｅの筒状部５７の所定の位置に、軸５０ａｘと略直交する方向に切り込みＸ３を入れて切断し、筒状部５７の切り込みＸ３の位置よりも外側（膨張部５２から離れた側）の部分を分離する。切り込みＸ３を入れる位置は、封止部２２ａの長さ等に応じて適宜設定される。
【００９７】
これにより、図５（ｄ）に示すように、膨張部５２と管状部５３と筒状部５５とを有する基材５０ｆが得られる。基材５０ｆは、副鏡４０Ａの基材となる。また、膨張部５２、管状部５３、筒状部５５は、それぞれ副鏡４０Ａの反射部４２、接続部４３、固定部４５となる。
【００９８】
（４．斜面形成工程）
次に、図５（ｄ）に示すように、筒状部５５の膨張部５２から離れた側の端部における部材５０ｂ側（リフレクター３０側）のコーナー部５５ｃに斜めに切り込みＸ６を入れて、コーナー部５５ｃを切除し斜面５５ａを形成する。コーナー部５５ｃは、グラインダー等を用いて切削し除去してもよい。
【００９９】
（５．反射層形成工程）
次に、図５（ｅ）に示すように、基材５０ｆの膨張部５２（反射部４２）の内面である反射面４１に反射層を形成する。反射層形成工程が終了すると、膨張部５２に対応する反射部４２と、管状部５３に対応する接続部４３と、筒状部５５に対応する固定部４５とで構成され、斜面４５ａを有する副鏡４０Ａが完成する。なお、第２切断工程の前に第３切断工程を行うようにしてもよい。
【０１００】
副鏡４０Ａが完成した後、図４に示すように、副鏡４０Ａの固定部４５と封止部２２ａとの間に接着剤Ｃを配置することにより、副鏡４０Ａを発光管２０に固着する。このとき、接着剤Ｃを、固定部４５と封止部２２ａとの間に充填するとともに、固定部４５のうち封止部２２ａよりも被照明領域側に延びた部分で周囲を囲まれた内側の領域にも充填する。これにより、封止部２２ａの端面２２ｃが接着剤Ｃで被覆される。
【０１０１】
また、リフレクター３０の基部３４と封止部２２ｂとの間に接着剤Ｃを配置することにより、発光管２０をリフレクター３０に固着する。以上により、光源装置１２が完成する。
【０１０２】
（第３の実施形態）
＜光源装置＞
次に、第３の実施形態に係る光源装置について、図６を参照して説明する。第３の実施形態に係る光源装置は、上記実施形態に係る光源装置に対して、リフレクターおよび副鏡の反射部の開口側が略円形状である点が異なっているが、その他の構成はほぼ同じである。
【０１０３】
図６は、第３の実施形態に係る光源装置の概略構成を示す図である。詳しくは、図６は図２（ａ）中のＡ−Ａ’線に沿った断面に対応する断面図である。なお、上記実施形態と共通する構成要素については、同一の符号を付しその説明を省略する。
【０１０４】
第３の実施形態に係る光源装置１４は、発光管２０と、リフレクター６０と、副鏡７０と、接着剤Ｃとを備えている。
【０１０５】
リフレクター６０は、楕円面または方物面を照明光軸ＯＣを回転中心軸として回転させた楕円球または方物球のうち、照明光軸ＯＣに沿った方向における略１／２が削除された形状を有している。リフレクター６０の開口側（被照明領域側）の端部は、略円形状である。
【０１０６】
リフレクター６０は、第１の反射部としての反射部６２と、基部６４とを有している。反射部６２と基部６４とは、一体に形成されている。反射部６２は、発光管２０に対向する内面側に反射面６１を有している。
【０１０７】
基部６４は、反射部６２から背面側に封止部２２ｂに沿って延設されている。基部６４は、例えば、照明光軸ＯＣに沿って延在する略円筒形状を有している。基部６４と封止部２２ｂとの間には接着剤Ｃが充填されており、接着剤Ｃによってリフレクター６０と発光管２０とが互いに固着されている。
【０１０８】
副鏡７０は、発光管２０の管球部２１を間に挟んでリフレクター６０とは反対側、すなわち管球部２１の被照明領域側に配置されている。副鏡７０は、第２の反射部としての反射部７２と、固定部７４とを有している。反射部７２と固定部７４とは、一体に形成されている。
【０１０９】
反射部７２は、球体のうち照明光軸ＯＣに沿った方向におけるリフレクター６０側の略１／２が削除された略半球形状を有している。反射部７２は、管球部２１に対向する内面側に反射面７１を有している。反射部７２は、反射面７１において、管球部２１から射出される光を管球部２１（反射面６１）へ向けて反射する。
【０１１０】
固定部７４は、反射部７２から被照明領域側に封止部２２ａに沿って延設されており、封止部２２ａにおける被照明領域側の端部よりも管球部２１から離れた位置まで延在している。固定部７４は、照明光軸ＯＣに沿って延在する略円筒形状を有している。固定部７４には、被照明領域側の端部の周囲に斜面７４ａが設けられていることが好ましい。斜面７４ａを設けることで、リフレクター６０で反射され第２焦点位置に向かう光が固定部７４で遮られないようにすることができる。
【０１１１】
固定部７４と封止部２２ａとの間には接着剤Ｃが充填されており、接着剤Ｃによって発光管２０と副鏡７０とが互いに固着されている。接着剤Ｃは、封止部２２ａと固定部７４との間、および固定部７４のうち封止部２２ａよりも被照明領域側に位置する部分の内側に充填されている。
【０１１２】
第３の実施形態に係る光源装置１４の構成によれば、封止部２２ａの端面２２ｃを被覆する接着剤Ｃが、固定部７４のうち封止部２２ａよりも被照明領域側に位置する部分で周囲を囲まれるとともに、封止部２２ａの外周を覆う接着剤Ｃと一体に配置されている。これにより、第３の実施形態に係る光源装置１４の構成においても、第２の実施形態に係る光源装置１２と同様に、封止部２２ａの端面２２ｃから被照明領域側に向かう非利用光を確実に遮光することができる。
【０１１３】
以上、本発明の光源装置およびプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【０１１４】
（変形例１）
上記実施形態のプロジェクターの構成では、光均一化光学系として第１レンズアレイおよび第２レンズアレイからなるレンズインテグレーター光学系を用いたが、本発明はこれに限定されるものではない。光均一化光学系として、例えば、導光ロッドからなるロッドインテグレーター光学系を用いることもできる。
【０１１５】
（変形例２）
上記実施形態におけるプロジェクターは透過型のプロジェクターであるが、本発明はこれに限定されるものではない。例えば、反射型のプロジェクターであってもよい。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクターに本発明を適用した場合にも、透過型のプロジェクターと同様の効果を得ることができる。  
【０１１６】
（変形例３）
上記実施形態におけるプロジェクターは３つの液晶装置を用いたプロジェクターであるが、本発明はこれに限定されるものではない。本発明は、例えば、１つ、２つまたは４つ以上の液晶装置を用いたプロジェクターにも適用することができる。
【０１１７】
（変形例４）
上記実施形態のプロジェクターの構成では、電気光学変調装置として液晶装置を用いているが、本発明はこれに限定されるものではない。電気光学変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【０１１８】
（変形例５）
本発明は、投写画像を観察する側から投写するフロント投写型プロジェクター、および、投写画像を観察する側とは反対の側から投写するリア投写型プロジェクターに適用することが可能である。
【０１１９】
（変形例６）
上記実施形態においては、本発明の光源装置をプロジェクターに適用した例について説明したが、本発明はこれに限定されるものではない。本発明の光源装置を、例えば、光ディスク装置等他の光学機器に適用することもできる。
【符号の説明】
【０１２０】
１０，１２，１４…光源装置、２０…発光管、２１…管球部、２２ａ，２２ｂ…一対の封止部、２２ｃ…端面、３０，６０…リフレクター、３２，６２…第１の反射部としての反射部、３４，６４…基部、４０，４０Ａ，７０…副鏡、４２，７２…第２の反射部としての反射部、４４，７４…固定部、１００…照明装置、４００Ｒ，４００Ｇ，４００Ｂ…電気光学変調装置としての液晶装置、６００…投写レンズ、１０００…プロジェクター、Ｃ…接着剤、ＯＣ…照明光軸。
【図１】
2011181308.tif 000003
【図２】
2011181308.tif 000004
【図３】
2011181308.tif 000005
【図４】
2011181308.tif 000006
【図５】
2011181308.tif 000007
【図６】
2011181308.tif 000008